【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
略菱形の割出し可能な切削インサート（３０、３０’）であって、
反対側の上面および下面（３６、３８）、およびそれらの間に延在する周囲側面（４０）であって４つの逃げ面（４６）によって分離された交互に存在する鈍角および鋭角のコーナー面（４２、４４）を有する周囲側面（４０）と、
前記上面および下面（３６、３８）を通過する中心軸（Ａ１）であって、その中心軸（Ａ１）の周りで前記切削インサート（３０、３０’）が割出し可能である中心軸（Ａ１）と、
前記中心軸（Ａ１）を含み且つ前記２つの鈍角コーナー面（４２）と交差する副垂直面（Ｐ３）と、
前記上面および下面（３６、３８）の少なくとも１つと、前記２つの鋭角コーナー面（４４）のそれぞれとの交差部に形成されたノーズ切れ刃（４８）と
を含み、
前記上面および下面（３６、３８）の少なくとも１つが、
１つの主係合要素（５６）と４つの副係合要素（５８）とを含む係合面（５４）を含み、
前記主係合要素（５６）が、主係合側面（６０）の細長い対と主係合面（Ｐ１）とを有し、前記主係合要素（５６）が前記主係合面（Ｐ１）の周りで鏡面対称を示し、
各副係合要素（５８）が副係合部分（６４）を含み、前記副係合部分（６４）が、副係合側面（６６）の細長い対と副係合面（Ｐ２）とを有し、前記副係合部分（６４）が前記副係合面（Ｐ２）の周りで鏡面対称を示し、
前記主係合面（Ｐ１）が前記中心軸（Ａ１）を含み且つ各ノーズ切れ刃（４８）と交差し、
各副係合面（Ｐ２）が前記中心軸（Ａ１）を含まず、前記主係合面（Ｐ１）と鋭角係合角度（α）を形成する、切削インサート（３０、３０’）。
【請求項２】
前記中心軸（Ａ１）に沿って軸方向に見たとき、
前記４つの副係合要素（５８）が、前記２つの鈍角コーナー面（４２）を囲む仮想円（Ｓ）の内側に完全に位置付けられ、
前記主係合要素（５６）が前記仮想円（Ｓ）と交差する、請求項１に記載の切削インサート（３０、３０’）。
【請求項３】
各副係合面（Ｐ２）が他の３つの副係合面（Ｐ２）と同一平面上にない、請求項１または２に記載の切削インサート（３０、３０’）。
【請求項４】
前記切削インサート（３０、３０’）が前記主係合面（Ｐ１）の周りで鏡面対称を示す、請求項１〜３のいずれか一項に記載の切削インサート（３０、３０’）。
【請求項５】
前記切削インサート（３０、３０’）が前記中心軸（Ａ１）の周りで２回回転対称を示す、請求項１〜４のいずれか一項に記載の切削インサート（３０、３０’）。
【請求項６】
前記主係合面（Ｐ１）に対して垂直な断面で見たとき前記主係合要素（５６）がＶ字型であり、各副係合要素（５８）が、その各副係合面（Ｐ２）に対して垂直な断面で見たときＶ字型である、請求項１〜５のいずれか一項に記載の切削インサート（３０、３０’）。
【請求項７】
主係合側面（６０）の前記対の２つの表面構成要素が互いに平行に延在し、
副係合側面（６６）の各対の２つの表面構成要素が互いに平行に延在する、請求項１〜６のいずれか一項に記載の切削インサート（３０、３０’）。
【請求項８】
各副係合要素（５８）が前記副垂直面（Ｐ３）の１つの側に完全に位置付けられる、請求項１〜７のいずれか一項に記載の切削インサート（３０、３０’）。
【請求項９】
前記主係合要素（５６）が２つの離間された主係合部分（７０）を含み、
前記２つの主係合部分（７０）が前記副垂直面（Ｐ３）の両側に完全に位置付けられる、請求項１〜８のいずれか一項に記載の切削インサート（３０、３０’）。
【請求項１０】
各副係合要素（５８）が前記主係合面（Ｐ１）の１つの側に完全に位置付けられる、請求項１〜９のいずれか一項に記載の切削インサート（３０、３０’）。
【請求項１１】
前記中心軸（Ａ１）に沿って軸方向に見たとき、各副係合面（Ｐ２）がちょうど２つの他の副係合面（Ｐ２）と交差し、合計４つの交差点（Ｉ）を形成する、請求項１〜１０のいずれか一項に記載の切削インサート（３０、３０’）。
【請求項１２】
前記下面（３８）だけが係合面（５４）を含み、ノーズ切れ刃（４８）が、上面（３６）と前記２つの鋭角コーナー面（４４）との交差部に形成されるだけであり、
前記下面（３８）の前記主係合要素（５６）が前記２つの鋭角コーナー面（４４）と交差する、請求項１〜１１のいずれか一項に記載の切削インサート（３０）。
【請求項１３】
前記下面（３８）の前記４つの副係合要素（５８）のそれぞれが前記周囲側面（４０）と交差する、請求項１〜１２のいずれか一項に記載の切削インサート（３０）。
【請求項１４】
切削工具（２０）であって、
主要本体（２４）であってその前端部（２８）にインサート受入れポケット（２６）が形成された主要本体（２４）を有する工具ホルダ（２２）と、クランプ部材（３２）によって前記インサート受入れポケット（２６）に取外し可能に固定される請求項１〜１３のいずれか一項に記載の切削インサート（３０、３０’）とを含み、前記切削インサート（３０、３０’）が作動可能なノーズ切れ刃（４８）を有する、切削工具（２０）。
【請求項１５】
前記インサート受入れポケット（２６）が、
１つの主支持要素（７６）と２つの副支持要素（７８）とを含む支持面（７４）を含み、
前記切削インサート（３０、３０’）が、単に、
前記主係合要素（５６）が前記主支持要素（７６）と接触することによって、前記インサート受入れポケット（２６）の前記支持面（７４）にクランプされ、
前記４つの副係合要素（５８）の２つが作動可能であり、前記２つの副支持要素（７８）と接触する、
請求項１４に記載の切削工具（２０）。
【請求項１６】
前記主および副係合要素（５６、５８）が隆起部であり、
前記主および副支持要素（７６、７８）が溝である、
請求項１５に記載の切削工具（２０）。
【請求項１７】
前記主係合要素（５６）の主係合側面（６０）の前記対が、前記主支持要素（７６）の主支持側面（８０）の対応する対と接触し、
前記２つの作動可能な副係合要素（５８）の副係合側面（６６）の各対が、前記２つの副支持要素（７８）の１つの副支持側面（８２）の対応する対と接触する、請求項１５または１６に記載の切削工具（２０）。
【請求項１８】
前記２つの作動可能な副係合要素（５８）が前記副垂直面（Ｐ３）の一方の側に完全に位置付けられ、前記作動可能なノーズ切れ刃（４８）が前記副垂直面（Ｐ３）の他方側に位置付けられる、請求項１５〜１７のいずれか一項に記載の切削工具（２０）。
【請求項１９】
前記主係合要素（５６）が２つの離間された主係合部分（７０）を含み、前記２つの主係合部分（７０）が前記副垂直面（Ｐ３）の両側に完全に位置付けられ、
前記副垂直面（Ｐ３）の、前記作動可能なノーズ切れ刃（４８）と同じ側の前記主係合部分（７０）だけが、前記主支持要素（７６）と接触する、請求項１５〜１８のいずれか一項に記載の切削工具（２０）。
【請求項２０】
前記４つの副係合要素（５８）が、前記２つの鈍角コーナー面（４２）を囲む仮想円（Ｓ）の内側に完全に位置付けられ、
前記主係合要素（５６）が、前記仮想円（Ｓ）の少なくとも外側で前記主支持要素（７６）と接触する、請求項１５〜１９のいずれか一項に記載の切削工具（２０）。
【請求項２１】
略菱形の割出し可能な切削インサート（３０、３０’）であって、
反対側の上面および下面（３６、３８）、およびそれらの間に延在する周囲側面（４０）であって４つの逃げ面（４６）によって分離された交互に存在する鈍角および鋭角のコーナー面（４２、４４）を有する周囲側面（４０）と、
前記上面および下面（３６、３８）を通過する中心軸（Ａ１）であって、その中心軸（Ａ１）の周りで前記切削インサート（３０、３０’）が割出し可能である中心軸（Ａ１）と、
前記中心軸（Ａ１）を含み且つ前記２つの鈍角コーナー面（４２）と交差する副垂直面（Ｐ３）と、
前記上面および下面（３６、３８）の少なくとも１つと、前記２つの鋭角コーナー面（４４）のそれぞれとの交差部に形成されたノーズ切れ刃（４８）とを含み、
前記上面および下面（３６、３８）の少なくとも１つが、
１つの主係合要素（５６）と４つの副係合要素（５８）とを含む係合面（５４）を含み、
前記主係合要素（５６）が、前記中心軸（Ａ１）を含み且つ各ノーズ切れ刃（４８）と交差する主係合面（Ｐ１）に沿って延在し、前記主係合要素（５６）が前記主係合面（Ｐ１）の周りで鏡面対称を示し、および、
前記４つの副係合要素（５８）が２対の平行なオフセット副係合要素（５８）を構成し、各対が前記主係合面（Ｐ１）の両側に１つの部材を有する、切削インサート（３０、３０’）。